(57)【要約】      （修正有）【課題】一枚の菱型のフクサベースの左半分又は右半分に祝儀袋又は不祝儀袋を置く筒台を設け、四方角をある順に単に折り畳むだけのワンタッチで慶事用又は弔事用を簡単に形成できるワンタッチふくさを提供する。【解決手段】菱型のフクサベース１００と、その内側には、一方の三角域１０１に慶事用の祝儀袋又は、弔事用の不祝儀袋を置く矩形筒台１０２を設け、前記矩形筒台はその四辺と、その各延長の折畳帯１０３〜１０７を介しての四方域１０８〜１１１の各々所定の順で折り畳んで綺麗に覆う。【選択図】図１
0003221430.tif 000002
【実用新案登録請求の範囲】
【請求項１】
一体の菱型のフクサベースにおいて、内側の一方の三角域に慶事用の祝儀袋（筒）又は弔事用の不祝儀袋（筒）を置く矩形筒台を設け、前記矩形筒台はその四辺とその延長の折畳帯を介してある四方角域の各々を所定の順で折り畳んで覆うことを可能にしたことを特徴とするワンタッチふくさ。
【請求項２】
前記矩形筒台に磁石体を潜設するとともに前記四方角域の中で最後に折畳む折畳角域に磁性体を潜設し、又は矩形筒台に磁性体を潜設するとともに前記四方角域の中で最後に折畳む折畳角域に磁石体を潜設したことを特徴とする請求項１に記載のワンタッチふくさ。
【請求項３】
前記一体の菱型のフクサベースの矩形筒台に前記各四方角域の折り畳み順を記載したことを特徴とする請求項１又は請求項２に記載のワンタッチふくさ。
【請求項４】
前記一体の菱型のフクサベースの前記各四方角域の角部に折り畳み順の番号を記載したことを特徴とする請求項１〜請求項３のいずれか一つに記載のワンタッチふくさ。
【請求項５】
前記一体の菱型のフクサベースの外側は柔軟性のある織布で構成しその内部に前記矩形筒台及び前記各四方角域の折畳帯を除く各領域単位に不織布芯を配置したことを特徴とする請求項１〜請求項４のいずれか一つに記載のワンタッチふくさ。
【考案の詳細な説明】
【技術分野】
【０００１】  本考案は、日本の伝統的に正式とされるふくさを初めてでも簡単にスマートにご使用いただけるように工夫した「ワンタッチふくさ」に関する。
【背景技術】
【０００２】  ふくさは、元来，柔らかな手触りのよいことを指し，《日葡辞書》では〈ふくさ物〉〈ふくさ絹〉などとともに〈ふくさな人〉（物柔らかで人あたりのよい人）の用例もある。
その上で、ふくさは、元々貴重品などが収蔵された箱上に掛けられ、服紗小袖，ふくさ帯のごとく柔らかな絹布製の風呂敷であった。【０００３】  その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広ふた（黒塗りの盆）と併せて用いられるようになった。【０００４】  また一般に茶の湯では方形の縮緬や絹布を言う。ふくさに関する背景はこのようであるが、現在は、台・爪付の小型の風呂敷タイプの他に、特許文献１に記載のような２つ折りや三つ折りタイプの金封ふくさ、左開きの弔事（お悔やみ）ふくさ、右開きの慶事（お祝い）ふくさやお見舞ふくさが多く市販され利用されている。【０００５】  因みに、風呂敷タイプふくさの場合、数珠や熨斗袋（筒）を包む場合は結婚式などの慶事には右前に包み、葬儀など弔事には左前に包む。
祝儀袋（筒）の包み方は祝儀袋（筒）を中心より少し左の方へ寄せておき左側を中に折り込み上側をたたみ、次に下側をたたみ右側を折り裏へ折り返す。不祝儀袋（筒）の包み方は、不祝儀袋（筒）を中心より少し右の方へ寄せておき右側を中に折り込み下側をたたみ、次に上側をたたみ左側を折り裏へ折り返す。ふくさの用途と色様々な色のものがあり、暖色系の明るい色は慶事用、寒色系の沈んだ色は弔事用、紫色はどちらにも使える。
【考案の開示】
【考案が解決しようとする課題】
【０００６】  従来の前記各種のふくさは、その製作工程が多く煩雑でありコストが嵩む。また包み方も初めての人は分かり難く手間がかかる。
本考案は、一枚の菱型のフクサベースのみを用いてその左半分（慶事用）又は右半分（弔事用）に祝儀袋（筒）又は不祝儀袋（筒）を置く筒台を設け、その四方角域をある順に単に折り畳むだけのワンタッチで慶事用のふくさ又は弔事用のふくさを簡単に形成することを可能にしたワンタッチふくさを提供するものである。
【課題を解決するための手段】
【０００７】  上記課題を満足させる本考案の主な技術構成は、次の（１）〜（５）の通りである。
（１）、一体の菱型のフクサベースにおいて、内側の一方の三角域に慶事用の祝儀袋（筒）又は弔事用の不祝儀袋（筒）を置く矩形筒台を設け、前記矩形筒台はその四辺とその延長の折畳帯を介してある四方角域の各々を所定の順で折り畳んで覆うことを可能にしたことを特徴とするワンタッチふくさ。【０００８】  （２）、前記矩形筒台に磁石体を潜設するとともに前記四方角域の中で最後に折畳む折畳角域に磁性体を潜設し、又は矩形筒台に磁性体を潜設するとともに前記四方角域の中で最後に折畳む折畳角域に磁石体を潜設したことを特徴とする前記（１）に記載のワンタッチふくさ。【０００９】  （３）、前記一体の菱型のフクサベースの矩形筒台に前記各四方角域の折り畳み順を記載したことを特徴とする前記（１）又は（２）に記載のワンタッチふくさ。【００１０】  （４）、前記一体の菱型のフクサベースの前記各四方角域の角部に折り畳み順の番号を記載したことを特徴とする前記（１）〜（３）のいずれか一つに記載のワンタッチふくさ。【００１１】  （５）、前記一体の菱型のフクサベースの外側は柔軟性のある織布で構成しその内部に前記矩形筒台及び前記各四方角域の折畳帯を除く各領域単位に不織布芯を配置したことを特徴とする前記（１）〜（４）のいずれか一つに記載のワンタッチふくさ。
【考案の効果】
【００１２】  本考案のワンタッチふくさは、単なる菱形の風呂敷タイプのふくさではなく、かつ前記祝儀袋や不祝儀袋を入れるポケットを形成することなく、一体の菱型のフクサベースのみによりその内側に前記矩形筒台とする領域を決め且つこの矩形筒台とする領域をフクサベースの四方角域で単に折り込み覆うのみでスマートにふくさが形成され、またフクサベースの上下を反対にすれば前記矩形筒台の配置位置を左右に変換して慶事用又は弔事用のふくさにすることがワンタッチでできる等々の極めて利便性に富み且つ製作工程及び製作コストを大幅に低減したワンタッチふくさである。
【図面の簡単な説明】
【００１３】
【図１】本考案のワンタッチふくさの実施例であり、一体の菱型のフクサベースの内側を開いた平面状態を示す。
【図２】該フクサベースを慶事用に開いた状態を（１）に示し、前記矩形筒台に祝儀袋（筒）を載せた状態を（２）に示し、その後四方角域の折込順を（３）〜（７）に示し、（８）に（７）を返した反対側を示す説明図である。
【図３】該フクサベースを弔事用に開いた状態を（１）に示し、前記矩形筒台に不祝儀袋（筒）を載せた状態を（２）に示し、その後四方角域の折込順を（３）〜（７）に示し、（８）に（７）を返した反対側を示す説明図である。
【考案を実施するための形態】
【００１４】  本考案のワンタッチふくさを実施するための形態の実施例を、図１〜図３により詳細に紹介する。
【実施例】
【００１５】  図１において、本例のワンタッチふくさは、菱型のフクサベース１００と、その内側には一方の三角域１０１（図１の向かって左側の三角域）に慶事用の祝儀袋（筒）又は弔事用の不祝儀袋（筒）を置く矩形筒台１０２を設け、前記矩形筒台１０２は、その四辺とその各延長の折畳帯１０３〜１０８を介しての四方角域１０８〜１１１の各々を図２及び図３に示すように所定の順で折り畳んで綺麗に覆う。【００１６】  図２には、該フクサベースを慶事用に開いた状態を（１）に示し、前記矩形筒台１０２に祝儀袋（筒）１２０を載せた状態を（２）に示し、その後四方角域１０８〜１１１の折込順を（３）〜（７）に示し、（８）に（７）を返した反対側を示す説明図である。（３）は１の角域１０８を折り込んだ状態、（４）は２の角域１０９を折り込んだ状態、（５）は３の角域１１０を折り込んだ状態、（６）は４の角域１１１を折り込んだ状態、（７）は４の角域１１１の先部角域１１１−１を折り込んだ状態、（８）は（７）の状態を返して反対側の状態を示す。【００１７】  図３には、前記慶事用に開いた該フクサベースを１８０℃回転して弔事用に転換して開いた状態を（１）に示し、その状態の矩形筒台１０２に不祝儀袋（筒）１３０を載せた状態を（２）に示し、その後四方角域１０８〜１１１の折込順を（３）〜（７）に示し、（８）に（７）を返した反対側を示す説明図である。（３）は１の角域１０８を折り込んだ状態、（４）は２の角域１０９を折り込んだ状態、（５）は３の角域１１０を折り込んだ状態、（６）は４の角域１１１を折り込んだ状態、（７）は４の角域１１１の先部角域１１１−１を折り込んだ状態、（８）は（７）の状態を返して反対側の状態を示す。【００１７】  前記矩形筒台１０２には、磁粉を混在させた樹脂板製の磁石体１４０をフクサベース１００内に潜設するとともに前記四方角域の中で最後に折畳む先部角域１１１−１に鉄粉を混在させた樹脂板製の矩形の磁性体１５０をフクサベース１００内に潜設してあるが、矩形筒台１０２に樹脂板製の磁性体をフクサベース１００内に潜設するとともに前記先部角域１１１−１に円形又は矩形の樹脂板製の磁石体をフクサベース１００内に潜設してもよい。【００１８】  前記一体の菱型のフクサベース１００の矩形筒台１０２には、慶事用と弔事用の前記各四方角域の折り畳み順の概略を図で記載してあり、前記一体の菱型のフクサベース１００の前記各四方角域１０８〜１１１の角部に折り畳み順の番号を記載してある。【００１９】  前記一体の菱型のフクサベース１００は、外側を柔軟性のある織布で構成しその内部に前記矩形筒台１０２及び前記各四方角域１０８〜１１１の薄グレーで示す折畳帯１０３〜１０７を除く各角域に点線で示す不織布芯１６１〜１６８を配置してある。この折畳帯１０３〜１０７の幅と不織布芯１６１〜１６８により矩形筒台１０２に載せた祝儀袋１２０又は不祝儀袋１３０の水引きが大きくても綺麗に覆うことが可能である。【００２０】  而して、本例のワンタッチふくさは、前記のごとく矩形筒台１０２に磁石体又は磁性体を潜設し、前記四方角の最後折込角に磁性体又は磁石体を潜設するなどの留め具を付設することによりワンタッチふくさの折畳み状態を常に���規の状態に保持して崩れを確実に防止して矩形筒台１０２上の祝儀袋又は不祝儀袋を健全に守るのである。
この留め具は、磁性体又は磁石体に代わってメンファスナーや各種のボタン・ホック、差し込み留め具等を適宜選択して付設すればよい。【００２１】  また本例のワンタッチふくさは、図１に記載のように前記一体の菱型のフクサベースの矩形筒台１０２に前記各四方角域の折り畳み順を記載し且つ前記一体の菱型のフクサベースの前記各四方角域の角部に折り畳み順の番号を記載したことにより、これらを見ながら迅速に矩形筒台上の祝儀袋又は不祝儀袋を包むことが出来る。【００２２】  また本例のワンタッチふくさは、前記一体の菱型のフクサベースの外側及び内側は柔軟性のある織布で構成しその内部に前記矩形筒台及び前記各四方角域の折畳帯を除く各領域単位に不織布芯１６１〜１６８を配置したことにより、前記矩形筒台への折り畳み覆いを綺麗にできると共に、ワンタッチふくさ本体自身の体裁を正規の開状態及び畳状態に保持することができる。【００２３】  ワンタッチふくさの慶事用（お祝い事を含む）の外側の表面の色は、赤、オレンジ、藤、桃、えんじ、金、ローズ、紫等の暖色系の明るい色にすればよい。【００２４】  ワンタッチふくさの弔事用（お悔み事を含む）の外側の表面の色は、紺、深緑、灰緑、緑、うぐいす、灰青、グレー、紫等の寒色系の沈んだ色にすればよい。
本例のワンタッチふくさは外側の表面の色を慶事用と弔事用の共用の為、薄紫色にしているがこれに限るものではない。【００２５】  ワンタッチふくさの外側の表面の慶事用の柄面は、前記慶事用の色の単色又は組み合わせにより織った或いは描いた又は刺繍の模様、鳥、花、蝶柄等がある。【００２６】  本例のワンタッチふくさの外側の表面の弔事用の色及び柄面は、前記弔事用の色の単色又は複数色の組み合わせにより織った或いは描いた又は刺繍の模様、鳥、花等がある。
本例のワンタッチふくさの内側の色は白色、ベージュ等の薄い明るい色が好ましいい。
【産業上の利用可能性】
【００２７】  本考案は、前述の優れた作用効果を呈する為、慶弔ふくさや弔事用ふくさを利用する一般社会人はもとより、ふくさの製造・販売業界に貢献すること多大なものがある。
【符号の説明】
【００２８】１００：菱型のフクサベース
１０１：三角域
１０２：矩形筒台
１０３〜１０７：折畳帯
１０８〜１１１：四方角域
１１１−１：角域１１０の先部角域
１４０：磁石体
１５０：磁性体
１６１〜１６８：不織布芯
【図１】
0003221430.tif 000003
【図２】
0003221430.tif 000004
【図３】
0003221430.tif 000005